(57)【要約】本発明の１つの態様によると、選択済み髪の先端の成分を、選択済み成分を処理しながら、他の髪成分からマスキングする美容師用マスキング用具（１）であって、該マスキング用具は、可撓性シート材料から成る少なくとも２つのパネル（２、３）であって、該選択済み髪の先端の成分を該各パネル間に受け入れるように枢支するとともに、その次に、使用中の該選択済み髪の先端の成分を包み込むべく互いに近接させることができる該少なくとも２つのパネル（２、３）を備える該美容師用マスキング用具（１）において、該マスキング用具は、処理プロセス物質又は処理物質の予備を格納するバッグ状の貯蔵部をさらに備えることを特徴とする美容師用マスキング用具（１）を提供する。該貯蔵部（５２）は、使用中の頭皮近傍の該マスキング用具の端部から離れた該マスキング用具の領域中に設けることが望ましい。
2006517821.tif 000002
【特許請求の範囲】
【請求項１】
選択済み髪の先端の成分を、選択済み成分を処理しながら、他の髪成分からマスキングする美容師用マスキング用具であって、前記マスキング用具は、
可撓性シート材料から成る少なくとも２つのパネルであって、前記選択済み髪の先端の成分を前記少なくとも２つのパネル間に受け入れるように枢支するとともに、その次に、使用中の前記選択済み成分を包み込むべく互いに近接させることができる前記少なくとも２つのパネルを
備える前記美容師用マスキング用具において、
前記マスキング用具は、処理プロセス物質又は処理物質の予備を格納するバッグ状のポーチをさらに備えることを特徴とする美容師用マスキング用具。
【請求項２】
前記ポーチは、使用中の頭皮近傍の前記マスキング用具の端部から離れた前記マスキング用具の領域中に設けられていることを特徴とする、請求の範囲第１項記載の美容師用マスキング用具。
【請求項３】
前記ポーチは、使用中の頭皮近傍の前記マスキング用具の端部から最も離れた前記マスキング用具の領域中に設けられていることを特徴とする、請求の範囲第２項記載の美容師用マスキング用具。
【請求項４】
前記各パネルは、前記マスキング用具のそれぞれのエッジに沿って互いにヒンジ止めさせるとともに前記ポーチは前記各パネル間の前記ヒンジの近くに設けられていることを特徴とする、請求の範囲第３項記載の美容師用マスキング用具。
【請求項５】
各隣接パネルを互いに部分的に封着させて前記各隣接パネル間に又は各対の隣接パネル間に部分封着ポーチが設けられていることを特徴とする、請求の範囲第１項から第４項のいずれか記載の美容師用マスキング用具。
【請求項６】
前記ポーチの一方側を開口させて、使用中の前記選択済み髪成分に塗布した余分な処理液を受け入れるようにすることを特徴とする、請求の範囲第５項記載の美容師用マスキング用具。
【請求項７】
１つの窓又は略透明材料が前記ポーチ中に設けられていることを特徴とする、請求の範囲第１項から第６項のいずれか記載の美容師用マスキング用具。
【請求項８】
選択済み髪の先端の成分を、選択済み成分を処理しながら、他の髪成分からマスキングする美容師用マスキング用具であって、前記マスキング用具は、
可撓性シート材料から成る少なくとも２つのパネルであって、前記選択済み髪の先端の成分を前記少なくとも２つのパネル間に受け入れるように枢支するとともに、その次に、使用中の前記選択済み髪の先端の成分を包み込むべく互いに近接させることができる前記少なくとも２つのパネルを
備える前記美容師用マスキング用具において、
前記マスキング用具は、前記マスキング用具の１つのエッジ近傍に固定手段をさらに備えるとともに、前記マスキング補助手段は、液体を前記固定手段経由で前記シートの前記エッジの方向に容易に流動させるのに適した液体伝達流路を前記エッジ近傍に形成させることを特徴とする美容師用マスキング用具。
【請求項９】
選択済み髪の先端の成分を、選択済み成分を処理しながら、他の髪成分からマスキングする美容師用マスキング用具であって、前記マスキング用具は、
可撓性シート材料から成る少なくとも２つのパネルであって、前記選択済み髪の先端の成分を前記少なくとも２つのパネル間に受け入れるように枢支するとともに、その次に、使用中の前記選択済み髪の先端の成分を包み込むべく互いに近接させることができる前記少なくとも２つのパネルを
備える前記美容師用マスキング用具において、
前記マスキング用具の第１パネルが包囲固定手段又は部分的包囲固定手段を備えるとともに、前記固定手段を髪成分に接触させることができる孔であって、これによって前記シートを前記髪に固定させる前記孔を前記第１パネル中に形成することを特徴とする美容師用マスキング用具。
【請求項１０】
選択済み髪の先端の成分を、選択済み成分を処理しながら、他の髪成分からマスキングする美容師用マスキング用具であって、前記マスキング用具は、
可撓性シート材料から成る少なくとも２つのパネルであって、前記選択済み髪の先端の成分を前記少なくとも２つのパネル間に受け入れるように枢支するとともに、使用中の前記選択済み髪の先端の成分を包み込むべく互いに近接させることができる前記少なくとも２つのパネルを
備える前記美容師用マスキング用具において、
略不透明な前面パネルの１つのエッジ部は、頭皮近傍の前記エンベロープ内で処理中の前記選択済み髪成分の根本部分を観察するための窓を少なくとも１つ有することを特徴とする美容師用マスキング用具。
【請求項１１】
選択済み髪の先端の成分を、選択済み成分を処理しながら、他の髪成分からマスキングする美容師用マスキング用具であって、前記マスキング用具は、
可撓性シート材料から成る少なくとも２つのパネルであって、前記少なくとも２つのパネル間に前記選択済み髪成分を受け入れるべく枢支するとともに、使用中の前記選択済み髪成分を包み込むべく互いに近接させることができ、前記少なくとも２つのパネルの内の一方が、前記マスキング用具を選択済み髪に取り外し可能に付着させる接着接触面を１つ又は複数有し、前記少なくとも２つのパネルを
備える前記美容師用マスキング用具において、
少なくとも１つの残りのパネルのエッジ部の剛性が前記パネルの残り部分の剛性よりも大きいことを特徴とする美容師用マスキング用具。
【請求項１２】
前記エッジ部は、前記可撓性材料から成る複数の層を備えることを特徴とする、請求の範囲第１１項記載の美容師用マスキング用具。
【請求項１３】
前記エッジ部は、前記複数の層を得るために前記可撓性材料の折り返し部を備えることを特徴とする、請求の範囲第１２項記載の美容師用マスキング用具。
【請求項１４】
前記各パネルは、前記それぞれのパネルの１つのエッジに沿って連結しうることを特徴とする、請求の範囲第１１項から第１３項のいずれか記載の美容師用マスキング用具。
【請求項１５】
前記エッジ部は、前記各パネルの前記ヒンジ止め部の向かい側の前記パネルのエッジに沿って設けられていることを特徴とする、請求の範囲第１１項から第１４項のいずれか記載の美容師用マスキング用具。
【請求項１６】
前記（複数の）接着剤表面を前記ヒンジ止めエッジの向かい側の第１パネルのエッジに沿って設けるとともに、第２隣接パネルの前記エッジ部は、前記第２パネルを一体化すると、前記第１パネルの前記（複数の）接着剤表面に重合することを特徴とする、請求の範囲第１５項記載の美容師用マスキング用具。
【請求項１７】
一対の前記ヒンジ止めパネルを備えることを特徴とする、請求の範囲第１６項記載の美容師用マスキング用具。
【請求項１８】
前記第２パネルに重合する別のパネルを少なくとも１つ含む複数のヒンジ止めパネルを備えることを特徴とする、請求の範囲第１６項記載の美容師用マスキング用具。
【請求項１９】
前記各パネルは形状とサイズが略同一であることを特徴とする、請求の範囲第１１項から第１８項のいずれか記載の美容師用マスキング用具。
【請求項２０】
前記各パネルが略矩形であることを特徴とする、請求の範囲第１１項から第１９項のいずれか記載の美容師用マスキング用具。
【請求項２１】
選択済み髪の先端の成分を、選択済み成分を処理しながら、他の髪成分からマスキングする美容師用マスキング用具であって、前記マスキング用具は、
第１パネルと、前記第１パネルと重合するように前記第１パネルにヒンジ止めさせた可撓性シート材料から成る少なくとも２つの別のパネルと、を備え、
前記各パネル間に選択済み髪成分を受け入れるべく前記各パネルを回動できるとともに、使用中の前記選択済み髪成分を包み込むべく前記各パネルを互いに近接できるようになっていて、前記第１パネルが、処理すべき選択済み髪に前記パネルを取り外し可能に付着させる接着接触面を１つ又は複数有する、美容師用マスキング用具。
【請求項２２】
前記各パネルを積重させた状態で前記各パネルを重合するように互いにヒンジ止めすることを特徴とする、請求の範囲第２１項記載の美容師用マスキング用具。
【請求項２３】
２つの別のパネルを前記第１パネルに重置しうることを特徴とする、請求の範囲第２２項記載の美容師用マスキング用具。
【請求項２４】
前記各パネルの形状とサイズが略同一であることを特徴とする、請求の範囲第２１項から第２３項のいずれか記載の美容師用マスキング用具。
【請求項２５】
少なくとも２つの前記別のパネルを並設して前記第１パネルに重合することを特徴とする、請求の範囲第２１項記載の美容師用マスキング用具。
【請求項２６】
前記第１パネルは、処理すべき前記選択済み髪成分に前記パネルを取り外し可能に付着させる接着接触面を１つ又は複数有するとともに、少なくとも１つの前記別のパネルの１つのエッジ部の剛性が当該パネルの残り部分の剛性よりも大きいことを特徴とする、請求の範囲第２１項から第２５項のいずれか記載の美容師用マスキング用具。
【請求項２７】
前記第１パネルは略不透明であるとともに、前記各追加パネルは略透明であり、あるいは、少なくとも１つの略透明な窓を有することを特徴とする、請求の範囲第２１項から第２６項のいずれか記載の美容師用マスキング用具。
【請求項２８】
実質的に上述したマスキング用具であって及び／又は添付図面に示すマスキング用具。
【発明の詳細な説明】
【技術分野】
【０００１】
本発明は、美容師用マスキング用具に関し、特に、選択済み髪成分を例えば脱色法又は毛染め法で処理しながら該選択済み髪成分に係合して該選択済み髪成分を他の髪成分からマスキングするのに適するマスキング用具に関する。
【背景技術】
【０００２】
選択済み髪成分を非選択の髪成分からマスキングしながら処理できる技術が数多く知られている。例えば、欧州特許第０、１２２、１４５号は、接着片を旦持させた可撓性材から成る基板を含む美容師用マスキングシートであって、該シートを、処理前に、選択済み髪の先端の成分に装着するとともに処理後はこの選択済み髪の先端の成分を該基板から素早く取り外す該美容師用マスキングシートを開示している。該美容師用マスキングシートは、略同一寸法の２つの矩形パネルを含むとともに、該矩形パネルは、幅方向に延びるヒンジを形成すべく共通のエッジに沿って互いに溶着させているので、該ヒンジを中心に該各パネルが互いに相対的に回動できる。このヒンジ止め連結によって該各パネルは、選択済み髪成分を該各パネル間に受け入れるように枢支するとともに、該各パネルは、選択済み髪成分を包み込むべく互いに近接させることができ、このようにして形成されたエンベロープ内で該選択済み髪成分が処理プロセスを受けることができる。
【０００３】
ある既知例では、該マスキングシートは、例えばポリエステル等の不透明可撓性シート材料から成る第１パネルと、共通のエッジに沿って該第１パネルに溶着させる略透明可撓性シート材料から成る第２パネルと、を含む。この透明のパネルによって、美容師は、毛染め過程／脱色過程の進捗をモニターできる。
【特許文献１】欧州特許第０、１２２、１４５号公報
【発明の開示】
【発明が解決しようとする課題】
【０００４】
欧州特許第０、１２２、１４５号に記載のタイプの美容師用マスキングシートに付随する欠点や不利益が数多くある。例えば、選択済み髪を処理するために使われる各物質の内の多数の物質に該接着固定手段（一片）を当接させると、該接着固定手段（一片）は効果がなくなる。このため、この装置は不安定になりがちであり、該選択済み髪から滑ったりすることが多いので、したがってもう一度位置決めしたり又は交換したりする必要がある。さらに、該一片の接着材料は、処理物質の障害になる。したがって、選択済み髪を、全部、該エンベロープ内で処理することは困難であり、特に、該エンベロープ外の使用中の該接着剤片の他方側に留まる該選択済み髪成分の根本を処理するのは困難である。さらに、美容師側が経験する問題として、処理物質の過剰な塗布がある。例えば、あまりにも多すぎる処理物質を髪に塗布したり又は該エンベロープの内部に塗布したりすると、該選択済み髪を過剰に処理してしまったり、処理物質を無駄にしてしまったり、該エンベロープから余分な処理溶液が漏れたりすることがある。後者は、この処理プロセスを受けている人の衣服の上に余分な処理溶液が落下してその衣服が漂白したり脱色したりすると、特に問題になりうる。あまりに多すぎる処理溶液を塗布して過剰な処理がおこると、該選択済み髪は、処理溶液を洗い流して髪を乾したとき、近傍の髪成分にからまりやすくなる。この結果、該選択済み髪をその次に櫛でとくと、該選択済み成分の一部が切れてしまう場合もある。この問題は、髪のキューティクルが過剰処理中に立ち上がること、及び、この立ち上がったキューティクルが近傍の髪成分のキューティクルに絡み合うこと、から生じるのであり、髪が乾くと髪がからむ原因となる。
【課題を解決するための手段】
【０００５】
本発明の第１態様によると、選択済み髪の先端の成分を、選択済み成分を処理しながら、他の髪成分からマスキングする美容師用マスキング用具であって、該マスキング用具は、可撓性シート材料から成る少なくとも２つのパネルであって、該選択済み髪の先端の成分を該少なくとも２つのパネル間に受け入れるように枢支するとともに、その次に、使用中の該選択済み髪の先端の成分を包み込むべく互いに近接させることができる該少なくとも２つのパネルを備える該美容師用マスキング用具において、該マスキング用具は、処理プロセス物質又は処理物質の予備を格納するバッグ状の貯蔵ポーチをさらに備えることを特徴とする美容師用マスキング用具を提供する。
【０００６】
該ポーチは、使用中の頭皮近傍の該マスキング用具の端部から離れたマスキング用具領域中に設けるのが望ましい。好適な実施の形態では、該ポーチは、頭皮近傍の該マスキング用具の端部から最も離れたマスキング用具領域中に設けられる。
【０００７】
該各パネルは、該マスキング用具のそれぞれのエッジに沿って互いにヒンジ止めさせることが望ましく、該ポーチは該各パネル間の該ヒンジの近くに設けるのが望ましい。
【０００８】
各隣接パネルを互いに部分的に封着させて、該各隣接パネル間に又は各対の隣接パネル間に部分封着ポーチを設けることができる。該ポーチの一方側を開口させて、使用中の選択済み髪成分に塗布した余分な処理液を受け入れるようにするのが望ましい。
【０００９】
本発明のこの態様の好適な実施の形態では、略透明材料から成る１つの窓が該ポーチ中に設けられている。該窓によって、美容師は、美容師サロンの他のエリアで作業していても、あるいは、他の髪の先端を作業していても、使用中の該貯蔵部中の余剰物のレベルを観察できる。こうすると、該貯蔵部があふれそうになると該貯蔵部から漏れないように美容師に警報できる。
【００１０】
該貯蔵部は、処理物質用容器、望ましくは液体処理物質用容器になることができる。該貯蔵部は、処理が行われる前に、余分な処理物質を受け入れたり、処理物質又は処理物質の予備を内蔵したりするように機能できる。該貯蔵部には吸収性物質や多孔性物質又は処理中和剤を設けてもよく、これらは、処理物質を拭き取ったり保存したり又は中和したりするために使用できる。
【００１１】
該貯蔵部は、該シートの頭皮から離れた領域中に形成するのが望ましく、すなわち、頭皮から離間した該シート領域中に形成するのが望ましく、好ましくは、使用時に、該シートの頭皮から最も離れた部分中に形成するのが望ましい。該貯蔵部は、該シートの各部を連結する該回動部（ヒンジ）近傍に形成することが望ましい。該貯蔵部は、該シートの１つ以上の部品（各パネル）中に形成されたくぼみ型ポーチ、ブリスター型ポーチ、又はバブル型ポーチを、あるいは、該シートの１つ以上の部品（各パネル）によって形成されたくぼみ型ポーチ、ブリスター型ポーチ、又はバブル型ポーチを含むことができる。特に好適な実施の形態では、該貯蔵部は、該２つのパネル間のヒンジ近傍に形成されたくぼみ、ブリスター、又はバブルを含む。
【００１２】
該貯蔵部は、可撓性材料であって選択的に弾性材料で形成することが望ましい。弾性材によって、該貯蔵部は、例えば圧搾後も該貯蔵部の容積を保持できる。
【００１３】
さらに特に好適な実施の形態では、該２つのパネルを部分的に封着させて、該貯蔵部を内部に形成されたフラップ又はタブを形成するとともに、該一体化可能なエンベロープから該貯蔵部中に、あるいはその反対に、液体を流し込める手段が設けられる。
【００１４】
該シート材中に又は該シート材の選択済み部分中に、液体を該貯蔵部内に流し込んだり該貯蔵部から外に流し出したりする流路を１つ以上形成できる。同様に、該シート中に、液体を該シートの１つの領域の端から端まで分散させることができる流路を１つ又は複数形成できる。
【００１５】
該貯蔵部は使用前に密封できる。本実施の形態では、該貯蔵部は、処理物質又は処理物質の予備を格納できる。例えば、処理物質を該エンベロープに入れて髪を処理できるように破れる脆性シールを設けることができる。その代わりに、又は、それに加えて、該貯蔵部は、該エンベロープ中の該処理物質を補充するために使用できる。例えば、処理物質が該貯蔵部中に流れ込んで集積するので、該貯蔵部を圧搾すると、処理物質を該貯蔵部から該エンベロープ中に押し出しながら該処理物質を該エンベロープ内の選択済み髪に再び塗布できる。しばらくした後、美容師が該窓から又は透明の前面シートから処理の進行を観察したときに、該物の塗布が一様でなく、且つ、選択済み髪成分の一部を見逃してしまい、残りの髪成分と色が変わらないということが美容師にはっきり分かった場合には、親指と人差し指を使って余剰物を該貯蔵部から最初の塗布時に塗布してなかった領域へ操り出すことができる。
【００１６】
該貯蔵部は、処理物質の予備を内蔵するために使用できる。例えば、該貯蔵部は、染料予備又は漂白剤予備を格納できる。使用中、美容師は、第１予備を選択済み髪成分に塗布するとともに該各パネルを一体化させて髪を包み込む。次に、該貯蔵部を、例えば脆性シールを破ることによって開口させることができるので、第２予備が該貯蔵部から吐出して該予備が髪に接触する。次に、該各予備間の反応が発生し、選択済み髪を処理する。こうすると、比較的明瞭な処理過程が得られるので特に有利である。例えば、髪に塗布する前に煩雑な処理物質や有害な処理物質の取り扱いが回避される。
【００１７】
該貯蔵部の容量は、０．１ミリリットル〜５ミリリットルが望ましく、０．２５ミリリットル〜３ミリリットルがさらに望ましく、約２ミリリットルが最も望ましい。
【００１８】
本発明の各実施の形態では、該シートは、例えばポリオレフィン等の可撓性高分子材料で全面的に又は部分的に構成することが望ましい。その代わりに、該シートの一部又は該シート全体をメタルフォイル材料で構成してもよい。該シートの少なくとも一定領域が不透明であることが望ましく、明るい色の材料が望ましく、略白色の材料が望ましい。本発明の一実施の形態では、不透明シートが、選択済み髪成分を眺めることができる透明材料から成る窓を含む。他の好適な実施の形態では、該マスキング用具は、透明なポリエステル等の材料から成る薄膜で積層したメタルフォイルシート材料又はその類似物から成る。
【００１９】
該シート材料は矩形が望ましく、細条矩形材料がより望ましい。一部の実施の形態では、例えば、１つの貯蔵部が存在する場合、形状が非矩形のシート材料の延長部を設けることができる。
【００２０】
該シートの２つのパネルは面積が略同一のエリアからなることが望ましい。２つのパネルを一体化したときに、一方のパネルが他方のパネルに略重合できることが特に好適である。該各パネルは、該２つのパネルを一体化させたり又は近接させたりして１つのエンベロープを形成できる回動部を設けた材料から成る単一シートで形成できる。該回動部は、例えばヒンジを形成すべく該シート材料を可撓変形させることによって生じた該ヒンジ等のヒンジでよい。その代わりに、該マスキングシートを、該回動部を形成すべく例えば溶着又は熱封着など互いに付着させた２つの個別のパネルで形成することもできる。該回動部は幅方向に延びるヒンジが望ましい。
【００２１】
本発明の第２態様によると、選択済み髪の先端の成分を、選択済み成分を処理しながら、他の髪成分からマスキングする美容師用マスキング用具であって、該マスキング用具は、可撓性シート材料から成る少なくとも２つのパネルであって、該選択済み髪の先端の成分を該少なくとも２つのパネル間に受け入れるように枢支するとともに、その次に、使用中の該選択済み髪の先端の成分を包み込むべく互いに近接させることができる該少なくとも２つのパネルを備える該美容師用マスキング用具において、該マスキング用具は、該マスキング用具の１つのエッジ近傍に固定手段をさらに備えるとともに、該マスキング補助手段は、液体を該固定手段経由で該シートの該エッジの方向に容易に流動させるのに適した液体伝達流路を該エッジ近傍に形成させることを特徴とする美容師用マスキング用具を提供する。
【００２２】
本発明は、従来技術を超える長所を数多く提供する。例えば、該液体伝達流路によって、選択済み髪がより高い割合で処理されるようにでき、例えば頭皮近傍の髪の部分など、該マスキング用具の該エッジに近接する髪の場合は特にそうである。
【００２３】
予備成形された実施の形態では、該液体伝達流路は、液体が、毛管作用によって髪成分の根本に向かって、該包囲済み髪成分と一緒に流れやすくする。該固定手段によって、該マスキング基板は、該マスキング基板が髪の先端の頭皮に当接するように選択済み髪成分に対して正確に位置決めできる。これは、選択済み髪の脱色や毛染めが必要な場合に特に有利であり、これによって頭皮から外側の髪成分全体が確実に処理される。また、該固定手段は、該マスキング基板を、頭皮から離間させた状態で選択済み髪成分の長手方向に正確に位置決めできるので、頭皮と該マスキング基板の間の選択済み髪成分の例えば下部など、該選択済み髪成分の内の選択部分だけを処理できる。
【００２４】
該固定手段は機械的係合手段でよい。特に好適な実施の形態では、該固定手段は、接着剤物質を含むとともに、望ましくは感圧接着剤を含む。かかる接着剤は髪及び／又は隣接するシート材料に付着するのに適したものでよい。該固定手段が接着剤の場合、連続する又は不連続の粘着層を１つ以上のパネルの一部分に貼着できる。該接着剤は、片状の接着剤の形でもよく、接着剤の散点群の形でもよい。該接着剤は該シートの表面中に埋め込んでもよいし、あるいは、該シートの表面上に盛り上げてもよい。
【００２５】
該エンベロープを形成すべく一体化する該各パネルの内の一方又は両方に固定手段を配設することが望ましい。また、固定手段は、該シートの外面に、すなわち、使用中のエンベロープの外面に、載設してよい。この実施の形態では、該固定手段は、該エンベロープの外側の髪成分、及び／又は、隣接するシート材料、に該シートを固定させるために使うことができる。
【００２６】
特に好適な実施の形態では、該固定手段は不連続である。例えば、接着剤を該エンベロープの内面に形成する場合、処理物質を接着剤の各部の間から通過させることができる流路を該接着剤の該各部近傍に配設することが特に有利である。これによってより大きな面積の選択済み髪を処理できる。さらに、処理物質が該シートの該エッジに向かって移動可能であり、これによって該処理物質が頭皮近傍の髪の各部に接触する機構が得られる。この実施の形態では、処理溶液の移動を毛管作用で容易にさせる空間を該各パネル間に設けるように該各パネルを適合させることができる。かかる空間は、例えば該パネルの表面上の突起部等の離間手段によって得ることができるし、あるいは、例えば、接着剤片などの該固定手段が該離間手段になってもよい。該各パネルの該流路領域中の表面は、毛管作用を容易にするために処理したり又はコーティングしたりできる。
【００２７】
別の実施の形態では、選択済み髪成分を横切って折り曲がる材料のフラップ又はストラップであって、該各パネルの内の一方の一部分に付着し、これによってそのパネルの一部分と該フラップ又はストラップの間に髪を挟む該フラップ又はストラップを設けることができる。このようにして、髪成分を該パネル上に載置するとともに、該フラップ又はストラップを該髪成分を横切って折り曲げて該シートを髪に固定させる。次に処理を適用させることができ、該エンベロープを閉じる。該フラップ又はストラップ自体は、該フラップ又はストラップを髪及び／又はそれぞれのパネルに固定させる接着剤などの固定手段を含むことができる。
【００２８】
本発明の第３態様によると、選択済み髪の先端の成分を、選択済み成分を処理しながら、他の髪成分からマスキングする美容師用マスキング用具であって、該マスキング用具は、可撓性シート材料から成る少なくとも２つのパネルであって、該選択済み髪の先端の成分を該少なくとも２つのパネル間に受け入れるように枢支するとともに、その次に、使用中の該選択済み髪の先端の成分を包み込むべく互いに近接させることができる該少なくとも２つのパネルを備える該美容師用マスキング用具において、該マスキング用具の第１パネルが包囲固定手段又は部分的包囲固定手段を備えるとともに、該固定手段を髪成分に接触させることができる孔であって、これによって該シートを該髪に固定させる該孔を該第１パネル中に形成させることを特徴とする美容師用マスキング用具を提供する。
【００２９】
本発明の特に好適な実施の形態では、使用中の頭皮近傍の１つのパネルの一部分から延びることが望ましいフラップが設けられる。該フラップは該マスキングとシートの１つのパネルに回動的に装着させることが望ましい。該フラップを折り返して該パネルの対応する部分に係合させたり、及び／又は、該パネルと該フラップの間に介装した１つの材料に係合させたりできることが望ましい。その代わりに、該各パネルの一部分は、１つの固定手段を介装できる二枚重ねの積層構造から成ることもできる。かかる各々の構造は、１つの固定手段を固定できる１つのエンクロージャ又は部分エンクロージャを提供することが望ましい。該フラップに、及び／又は該フラップ近傍のパネル部に、孔を配設し、該孔を介して該固定手段が選択済み髪成分と係合できることが望ましい。該孔は該回動部に貫設するとともに、該回動部を介して該フラップを該パネルに装着させていることが望ましい。このようにして、櫛状の構造物を得ることができ、該パネルと該フラップは該櫛の各歯を持ち、該孔が該各歯間の各隙間になる。１つの固定手段を該フラップと該パネルの間に介装できるので、該櫛状構造物の各歯間の各隙間において該固定手段を眺めることができる。
【００３０】
特に好適な実施の形態では、（該マスキングの該２つのパネルを近接させることによって形成された該第１エンベロープ、以下、第１エンベロープと呼ぶ、に対して）第２エンベロープを形成すべく該シートの周縁を折り返すことによって、且つ、該固定手段を該マスキングの該２つのパネル間に介装することによって、該包囲固定手段を形成できる。これらの実施の形態では、該固定手段は、使用中の第１エンベロープの内側と外側の両方にて髪成分に接触するように適合させることができるが、但し、該固定手段を該孔の中にわずかに埋め込むことが望ましいので、該固定手段は隣接シートに係合することがなく、したがってシートの積重又は包装が容易になり、一方のシートを他方のシートに固着させることがない。
【００３１】
特に好適な実施の形態では、該固定手段は、該エンベロープの内側から選択済み髪成分によって該孔を介して接触させることができるとともに、該固定手段は、該エンベロープの外側から髪又は隣接シートによって接触させることができる。これによって、複数の固定接点が得られ、本装置の安定性が高くなる。
【００３２】
本発明の第４態様によると、選択済み髪の先端の成分を、選択済み成分を処理しながら、他の髪成分からマスキングする美容師用マスキングシートであって、該マスキングシートが、該選択済み髪成分を包み込むべく一方の部分を他方の部分に近接させるように相対的に回動可能な２つの部分を含む該美容師用マスキングシートにおいて、該シートの一部分に各歯を設けるとともに、該シートの該一部分を、該各歯間の各隙間中に髪成分を受け入れるように適合させることを特徴とする美容師用マスキングシートを提供する。
【００３３】
ヘヤーカラー美容師等が遭遇する別の問題が生じるのは、例えばメタルフォイルなどの略不透明材料から成るマスキングシートを、該選択済み髪成分をマスキングするために使用する場合である。かかる不透明シートによって、ヘヤーカラー美容師は、該選択済み髪成分周辺のマスキングシートで形成された該エンベロープを開かないと、毛染め過程又は脱色過程を容易にモニターできない。これは重要な考慮すべき点であり、その理由は、髪が頭皮から成長するにつれて髪は周囲から酸素を受け入れるので角質化として知られる硬化作用が発生するからである。角質化又は最大角質化には、正常な髪の場合、約６週間かかるが、これは、約２５ミリメートル（１インチ）の成長に等しい。したがって、根本から最初の２５ミリメートルの髪は、完全に角質化しておらず、毛染めや脱色に使う髪の処理物質の活性化学物質を比較的容易に吸収する。残りの長手の髪は、完全に角質化しているので、硬質であり、組織が角のようになる。角質化した髪の硬度が高くなると、化学物質が髪を浸透することはさらに非常に困難になるので、このため、化学物質の吸収に要する時間量が増し、したがって処理時間が増す。これは、選択済み髪を脱色によって目立たせる場合には必ずしも問題にはならないが、その理由は、根本から先端まで染料を全部除去することが所望の効果だからであり、同様に、髪の先端全体を髪の本来の色よりも濃く毛染めする場合もそうである。但し、髪の先端全体を髪の本来の色よりも薄く毛染めする場合、処理時間の差は重大であり、現在、ヘヤーカラー美容師は、先ず髪の中間長部と端部に処理物質を塗布して例えば２０分等の所定の時間量の間、待機する必要があり、その後になってやっと同一処理物質を根本に塗布し、毛染めを一様にする。したがって、メタルフォイルなどの不透明なマスキングシートを使う場合は、ヘヤーカラー美容師は、根本が髪の残りの角質化部分と同じ色になるように根本を十分に処理したことを定期的にチェックする必要がある。このため、前述したように、ヘヤーカラー美容師は、毛染め過程の程度を観察するために、メタルフォイルで形成されたエンベロープを定期的に開くことが必要となる。
【００３４】
したがって、美容師が、頭皮近傍の根本の非角質化（又は完全に角質化してない）髪の部分において処理中の髪の着色を容易にモニターできて、該メタルフォイルやその他の不透明材料を取り外したりする必要もなければ、あるいは少なくとも開いたりする必要もない改良型マスキング用具であって、該マスキングシートを含む該改良型マスキング用具が求められている。
【００３５】
本発明の第５態様によると、選択済み髪の先端の成分を、選択済み成分を処理しながら、他の髪成分からマスキングする美容師用マスキング用具であって、該マスキング用具は、可撓性シート材料から成る少なくとも２つのパネルであって、該選択済み髪の先端の成分を該少なくとも２つのパネル間に受け入れるように枢支するとともに、使用中の該選択済み髪の先端の成分を包み込むべく互いに近接させることができる該少なくとも２つのパネルを備える該美容師用マスキング用具において、略不透明な前面パネルの１つのエッジ部は、頭皮近傍の該エンベロープ内で処理中の該選択済み髪成分の根本部分を観察する窓を少なくとも１つ有することを特徴とする美容師用マスキング用具を提供する。
【００３６】
好適な実施の形態では、該前面パネルにも、該エンベロープ内の該選択済み髪成分の根本以外の部分を観察する第２窓を、該エッジから離間させて設けられる。
【００３７】
本発明のこの実施の形態では、該２つ窓構造（上部エッジ窓と第２窓）の長所は、ヘヤーカラー美容師が、髪の非角質化根本と、髪の角質化中間部と角質化端部と、における処理物質の異なる活性化段階を容易にモニターできるということにある。該各窓のおかげで、ヘヤーカラー美容師は、例えばヘヤーカラー美容師のサロンのどこかで作業しながら、例えば別の人の髪を扱いながら、この過程を遠くからモニターすることでき、作業を止める必要もなければ、髪を処理中の人のところに行って該フォイル又はその他の不透明マスキングシートを開いて、現在のように、反応過程の進捗状況を確認したりする必要もない。この２つ窓構造における該各窓を分離することによって、ヘヤーカラー美容師は、非角質化根本の色を角質化中間長部及び角質化端部と比較できるが、この理由は、該中間の髪が、角質化開始の場合、該シートの該各窓間の該不透明領域によって覆われるからであり、これによって髪の該２つの部分が比較的容易に比較できるのである。
【００３８】
欧州特許第０、１２２、１４５号に記載のマスキングシートに付随する別の欠点は、該透明な前面パネルの上部エッジ部は、すなわち、各パネルを分離して回動させる前に該接着剤片と接触する前面パネルのエッジは、該マスキングシートを開けてすぐ使用できる状態にしたときに接着剤から解除されると、該エッジ周辺及び該エッジ上でパネル平面から反り上がる傾向があるということである。該パネルの該エッジ部が反るのは、該エッジ部が接着剤から分離すると、接着剤と接触した表面が伸張するからである。この捲縮したエッジが問題になるのは、該捲縮エッジが自然に反らなくなったり又は自然に折り曲がらなくなったりすることがなく、該エンベロープを該エッジに沿って閉じるべく前面パネルと背面パネルを再び一体化させたときに元の平坦な状態に戻らないからである。このため、この閉じていない捲縮エッジに沿って処理溶液が該エンベロープから漏れることが可能になるので、この結果、該エンベロープ外側の非選択の髪成分が脱色したり又は着色したりすることになり、特に、処理中に該エンベロープの頂部に載置した髪の束の場合はそうである。これは、髪の先端に強調表示を追加する場合、非選択の髪成分が容易に変色するおそれがあるので、特に問題である。該各パネルを一体化すると、該各パネルが処理溶液の表面張力に起因する粘着によって略一体に保持されることは、当業者には理解できるであろう。但し、かかる力は、該捲縮エッジをまっすぐ平らにするには不十分であり、したがって、主に処理溶液の塗布時に該エンベロープを開くと該前面パネルの該捲縮エッジ部上に落下する該処理溶液は、該エンベロープを閉じるべく該各パネルを一体化するとき、該エンベロープ内に格納されない。この問題は、該エンベロープを閉じるときに該接着片の各端部を該前面パネルの該エッジ部のそれぞれの部分に再び付着させる場合でも起こりうる。
【００３９】
また、該捲縮エッジによって該マスキングシートの取り扱いが比較的困難になるので、特に、美容師が一方の手で処理溶液を選択済み髪成分に塗布しながら他方の手で該シートを保持する場合、困難である。したがって、処理溶液を選択済み髪成分に塗布する間に該処理溶液が該前面パネルの該エッジ部上に落下しないようにする前述タイプのマスキングシートを使用する場合、美容師は相当な注意を払う必要があることが容易に正しく認識できるであろう。
【００４０】
また、したがって、非選択の髪成分に、特に、使用中、該マスキングシートの前面パネルと背面パネルの間に包囲する該選択済み髪成分の上に重置した髪成分に、処理溶液が当接するおそれを少なくも部分的に減らす前述タイプの改良型美容師用マスキング用具が求められている。
【００４１】
本発明の第６態様によると、選択済み髪の先端の成分を、選択済み成分を処理しながら、他の髪成分からマスキングする美容師用マスキング用具であって、該マスキング用具は、可撓性シート材料から成る少なくとも２つのパネルであって、該少なくとも２つのパネル間に該選択済み髪成分を受け入れるべく枢支するとともに、使用中の該選択済み髪成分を包み込むべく互いに近接させることができ、該少なくとも２つのパネルの内の一方が、該マスキング用具を選択済み髪に取り外し可能に付着させる接着接触面を１つ又は複数有する、該少なくとも２つのパネルを備える該美容師用マスキング用具において、少なくとも１つの残りのパネルのエッジ部の剛性が当該パネルの残り部分の剛性よりも大きいことを特徴とする美容師用マスキング用具を提供する。
【００４２】
本発明のこの態様では、該エッジ部の剛性は、該エッジ部を接着剤から分離させてすぐに使用できる状態にするときの伸張に起因する該エッジ部のひずみ、特に反り、を略防止するのに十分である。このようにして、使用中の該マスキング用具／シートの上部エッジ部から処理溶液が漏れることを防止したり又は相当減少させたりできる。
【００４３】
本発明の好適な実施の形態では、該エッジ部は、該可撓性材料から成る複数の層を含む。この比較的高い剛性エッジ部は、少なくとも１つの追加層を得るべく該可撓性材料の折り返し部を含むことが望ましいが、必ずしも必要ではない。追加層はたった１つだけ設けることが望ましく、すなわち、該エッジ部の厚さが該パネルの残り部分の厚さの二倍であることが望ましく、したがって、該エッジ部の剛性が該パネルの残り部分の剛性の二倍であることが望ましい。本発明によって、かかる厚さの倍増は、隣接パネル上の接着剤、又は、隣接パネルに付随する接着剤、から該エッジを分離させるときに該パネルの該エッジ部のひずみを防止するのに十分であることが分かった。
【００４４】
該各パネルは、該それぞれのパネルの共通エッジに沿って連結させることが望ましい。例えば、該各パネルをその共通のエッジに沿って連結させる方法は、溶着と、熱及び／圧力の印加と、超音波溶着と、接着剤と、がある。２つだけのパネルを連結させる実施の形態では、該各パネルを同時押し出したり、その代わりに、該各パネルを同一シートの相互折り返り部分に近接させたりできる。
【００４５】
該比較的高い剛性エッジ部は、該各パネルのヒンジ止め部の向かい側、すなわち、該各パネルを連結した該マスキング用具／シートの該共通エッジの向かい側、の該パネルのエッジに沿って設けられる。このようにして、該各パネルの内の第１パネルの該ヒンジ止めエッジの向かい側のエッジに沿って接着剤が設けられるので、第２隣接パネルの該比較的高い剛性エッジ部は、該各パネルを一体化すると、該第１パネル上の接着剤に重合する。該接着剤は、単一の一片として設けることができるし、あるいは、該第１パネルの該ヒンジ止め部の向かい側の該エッジに沿って離間させた個別のポケットに内設することもできる。該接着剤を個別のポケットに内設する場合、この接着剤ポケット間の各空隙のおかげで、処理溶液が該接着剤を乗り越えて処理中の髪の根元に向かって流動することが可能であり、選択済み髪成分を根本から先端まで確実に効果的に処理するので好都合である。
【００４６】
ある好適な実施の形態では、本発明の前述した態様のマスキング用具は、一対のヒンジ止めパネルを含んでおり、すなわち、該マスキング用具は、略平坦な単一シートの形状になるように開くことができる。別の好適な実施の形態では、該マスキング用具は、該第２パネルに重合する別のパネルを少なくとも１つ含む複数のヒンジ止めパネルを含む。この構造によって、異なる髪成分を選択して異なるシート間に介装させることができ、このため、異なる処理溶液を異なる選択済み髪成分に塗布でき、処理溶液の二次汚染はほとんどないので有利である。例えば、美容師が第１髪成分を選択して該各パネルの内の第１パネルと第２パネルの間に介装させて第１染料で処理できるとともに、該第１髪成分近傍の第２髪成分を該第２パネルと第３パネルの間に介装させて異なる色の染料で処理できる。
【００４７】
該各パネルは、一体化したときに互いに重合するように形状とサイズが略同一である。該各パネルの形状が略矩形であることが有利である。
【００４８】
前述したタイプの既知マスキングシートに付随するもう一つの欠点は、該各シートのために、該シートに係合した選択済み髪成分に１つの化学処理を適用するしかできないということである。該マスキングシートのために、美容師は、互いに近接させた多重シートを使わない場合、例えば１つの色を１つの髪成分に塗布するとともに別の色を隣接する髪成分に塗布するなど、隣接する髪成分に異なる染料を容易に塗布できない。
【００４９】
したがって、隣接する髪成分に異なる処理溶液を容易に塗布できる前述した既知タイプの改良型マスキング用具／シートが求められている。
【００５０】
本発明の第７態様によると、選択済み髪の先端の成分を、選択済み成分を処理しながら、他の髪成分からマスキングする美容師用マスキング用具であって、該マスキング用具は、第１パネルと、該第１パネルと重合するように該第１パネルにヒンジ止めさせた可撓性シート材料から成る少なくとも２つの別のパネルと、を備え、該各パネル間に該選択済み髪成分を受け入れるべく該各パネルを回動できるとともに、使用中の該選択済み髪成分を包み込むべく該各パネルを互いに近接できるようになっていて、該第１パネルが、該パネルを選択済み髪に取り外し可能に付着させる接着接触面を１つ又は複数有する、美容師用マスキング用具を提供する。本発明のこの態様によるマスキング用具は、少なくとも２つのパネルを有し、この２つのパネルは、異なる処理過程の異なる処理溶液を隣接する髪成分に塗布できる別のパネルに重合する。この構造によって、異なる髪成分を選択して異なるパネル間に介装でき、ほとんど処理溶液の二次汚染もなく異なる処理溶液を異なる選択済み髪成分に塗布できるので有利である。
【００５１】
ある好適な実施の形態では、２つの別のパネルが該第１パネルに重合し、第１髪成分が美容師によって選択されて該各パネルの内の第１パネルと第２パネルの間に介装させて第１染料で処理できるとともに、該第１髪成分に隣接する第２髪成分を該第２パネルと第３パネルの間に介装させて異なる色の染料で処理できる。また、本発明は、互いに重合する２つ以上の追加パネルを設けて、２つ以上の異なる処理溶液を、互いに近接する異なる髪成分に塗布できる実施の形態も検討している。
【００５２】
該各パネルが共通のエッジに沿って連結した積重パネルを形成するように該各パネルの形状とサイズは略同一であることが望ましい。
【００５３】
一実施の形態では、２つ以上の追加パネルを並設して１つ以上の比較的大型サイズのパネルに重合させることができる。
【００５４】
好適な実施の形態では、該第１パネルは、処理すべき選択済み髪成分に該パネルを取り外し可能に装着させる接着接触面を１つ又は複数有できるので、該別の各パネルの内の少なくとも１つのパネルのエッジ部の剛性が当該パネルの残り部分の剛性よりも大きい。
【００５５】
該各パネルの内の第１パネルは略不透明であるとともに、該各追加パネルは略透明であり、あるいは、少なくとも１つの略透明な窓を有し、美容師が使用中に処理過程の進捗をモニターできることが望ましい。
【発明を実施するための最良の形態】
【００５６】
次に、本発明の各種実施の形態を、単なる例として、添付図面に基づいてさらに詳細に説明する。
【００５７】
図１から図３を参照すると、美容師用マスキングシートを構成する細条シート基板１が図示されており、この美容師用マスキングシートは、サイズと形状が略同一の２つの矩形パネル２、３を含む。パネル２は、略不透明な（望ましくは白い）ポリオレフィン又ポリエステルの可撓性シート材料から成るとともに、パネル３は、略透明なポリオレフィン又はポリエステルの可撓性シート材料から成る。該シートの中央部において互いに最も近接するそれぞれのパネルのエッジ４、４’には、それぞれの半円部６、６’を設け、この半円部６、６’は、それぞれのエッジ４、４’から垂れ下がり、該各パネルを該半円部の共通の頂点にて連結させている。
【００５８】
該各半円部は、該頂点７を中心に互いに相対的に回動可能であることが望ましい。すなわち、該各半円部は、図１の図面に破線７で示すように共通の折曲線を中心に互いに折り曲げることができる。該各半円部の周縁エッジ８、８’と、下方エッジ４、４’の左右側辺９、９’は、（該パネルの平面において）平らに形成することが望ましい。したがって、パネル２、３は、パネル２、３を双方に向かって付勢するように頂点７を中心に回動させることができるので、パネル２、３の各表面を互いに付着させないままの状態でエッジ８、９を、対応するエッジ８’、９’にそれぞれ熱封着させて半円状の容器を形成できる。こうすると、パネルの下部エッジに、処理物質貯蔵部として機能できる容量を有する容器が得られる。オプションとして、該容器中に処理物質を内蔵すべく、脆性シール１０、１０’をエッジ４、４’に沿って該容器の領域内に配設してもよい。
【００５９】
パネル２及び／又はパネル３の各表面は、マスキングシートを髪及び／又は隣接シートに取り外し可能に固定させることができる固定手段、望ましくは接着剤片、を設けることができる。
【００６０】
図２と図３に示すように、パネル２、３は、エッジ４、４’に沿って設けた回動部１１、１１’を中心に接近させることができ、この２つのパネルを使用前に一体化させたり、あるいは、この２つのパネル間に選択済み髪成分を包み込むように該２つのパネルを一体化させたりする。
【００６１】
容器半分６、６’と同様に、パネル２、３の面積は略同一である。このシートは一回の操作で形成することもできるし、あるいは、このマスキングシートの選択済み構成要素を溶着したり又は共押出ししたりして上述した機能を提供できる。ヒンジ１１、１１’から最も離れたシートのエッジ５、５’によって、該各パネルを図２と図３に示すように接近させるとマスキングシートのそれぞれのパネルのそれぞれの上部エッジ部が区画される。
【００６２】
図４〜図６は、図１と同様の容器を含むシート基板を示す。図４は、略同一のエリアからなり、図１に示す基板のように類似の材料で形成されたパネル２、３を示す。パネル２、３は、共通のエッジに沿って互いに溶着されたり又は共押出されたりして、幅方向に延びるヒンジ１２を形成している。図４から図６に示す基板は、図１から図３のマスキングシートと同様に、例えば接着剤片などの固定手段を１つ又はそれ以上含み、この固定手段によって該基板を選択済み髪成分及び／又は隣接シート、に固定させることができる。
【００６３】
２つの容器半分１３、１３’はヒンジに近接し、望ましくは熱形成によって、ブリスターとして形成される。パネル２、３は、ヒンジを中心に回動運動することによって近接することができ、貯蔵部を形成すべくパネル２、３を熱封着させることができる。該各パネルは、該貯蔵部を形成するそれぞれのパネル領域を包囲するそれぞれの表面１４、１４’上で熱封着させることが望ましい。処理液は、該各パネル間の領域に開口するマウス部１５を経て該容器に流れ込むことができる。液体処理物質を格納するブリスター１３を圧搾すると、この液体処理物質は該貯蔵部からパネル２、３上に流れ出る。該エンベロープを閉じると、すなわち、各パネルを一体化させて重合させると、毛管作用によって液体がパネル２、３の間を流動でき、これによって、髪上の処理物質を増量したり、又は、処理物質をブリスター中に排出した後に処理物質を補充したりする。
【００６４】
使用中、髪の先端の髪成分を選択し、パネル２又はパネル３のどちらか一方を選択済み成分の下に載置し、そのパネルの上縁５、５’が頭の頭皮に近接するようにする。その次に、該選択済み髪成分に、例えば液体毛染め物質などの処理物質でコーティングでき、パネル２をヒンジ１２周りで折り曲げ、パネル３の上に重合させ、該選択済み髪成分がパネル２、３の間に介装した状態にする。例えば接着剤片などの固定手段を設ける場合、髪を該接着剤片に接触させることによって、該選択済み髪成分を各パネル間に固定する。該各パネルの内の一方のパネル、望ましくは前面パネル、が透明であること、又は、そのパネル中に透明な窓が設けられるので、美容師は、選択済み髪成分の毛染め過程をモニターでき、該毛染め過程をモニターするためにエンベロープ１を髪から取り外す必要もなければパネル２、３をはがしたりする必要もない。さらに、該各パネルの内の一方のパネルが例えば白など略不透明の場合、これは、毛染め過程を眺めるのに好都合な色である。
【００６５】
図４（ａ）は、図４と同様のシート基板を示す。図４（ａ）の実施の形態では、パネル２は、使用中の髪成分に接触固定するのに適した接着剤片１８が設けられる。さらに、エンベロープ封着手段１６も該各パネルの幅方向側エッジに沿って設けられる。これら封着手段は、接着剤片でもよいし、又は食料袋に見られるような機械的シールでもよい。後者の場合、該各パネルの内の一方のパネル上のシール１６は、隆起部を含むことができ、他方のパネル上のシール１６’は、隆起部を受け入れるくぼみを含むことができる。シール部１６、１６’を近接させると、該隆起部が該くぼみに入り、これによってエンベロープの両横辺が封着され、それによって処理物質の漏れを防止し又は減少させる。シール１６は該シートの各エッジ５、５’からヒンジ１７まで延びているのが図示されており、表面１４、１４’を封着すると、ヒンジ１７を中心にパネル２、３が回動できる。
【００６６】
上述した各実施の形態では、パネル２、３を簡単に分離できる。パネル２、３は、各々、個別に握って引き離すことができるし、あるいは、パネル２をパネル３から分離させるべくエンベロープを指の間で押しつぶすこともできる。
【００６７】
図７は、図６に示すシートと類似のシートを示す。対照的に、図７は、処理組成を格納する容器１３を示す。この実施の形態では、該容器には、パネル２、３が回動できる中心となるヒンジ１７近傍に脆性シール１９が設けられる。さらに、パネル２、３に囲まれた接着剤片２２を有する開口エンクロージャ２１を図示している。この特徴は、図１４から図２０に示す実施の形態に関してさらに詳細に後述する。図７の実施の形態では、永久的に熱封着した表面１４、１４’を図示している。
【００６８】
図８は、幅方向に延びるヒンジ２３で結合されたパネル２、３を有するシート基板１を図示し、パネル２、３は、該ヒンジ２３を中心に回動できる。該ヒンジ２３から最も離れたパネル２の上縁部２４には、細条接着剤材料２５群が設けられる。該群は、該隣接縁２４から内側に延び、該各群の間に複数の流路２６が設けられる。該流路２６は、該各パネルの中央部から該エッジ２４に向かって液体を容易に搬送するのに適している。パネル２、３間にわずかな空間が該接着剤群の近傍に設けるべく、感圧接着剤群を部位２の表面上でわずかに隆起させることが望ましい。該縁２４への液体搬送が最大化するように、該空間の寸法を、毛管作用が最適化するように適合させることができる。該エッジ２４と、本発明によるその他の各マスキングシート基板のエッジと、は、使用中に頭皮に当接するように適合させることが特に好ましく、パネル２又はパネル３の内のどちらか残りのパネルよりも可撓性が低いことが特に好ましい。このように縁を堅くすると、さらに使用しやすくなるとともにさらに取り扱いやすくなる。
【００６９】
該接着剤群は、使用前、該接着剤に接触するリリースコーティングを有するカバー片（図示せず）で覆うことができる。使用中、該カバー片を該接着剤から剥がし、使用できる状態の接着剤を露出する。１つのカバー片を利用すれば各シートを容易に積み重ねできることが正しく認識できるであろう。
【００７０】
特に好適な実施の形態では、例えばパネル２又はパネル３など各パネルの内の一方のパネルが他方のパネルよりも可撓性が低い。こうすると、使用中の選択済み髪成分をより強く支持できる。
【００７１】
図９は、１つのエンベロープとして形成された図８に示す該基板の側面図を示す。該空間を強調するために部位２、３間の空隙を図示しているが、この空隙は該エンベロープの各パネル間に存在でき、該各部位間に位置する処理液の毛管作用を容易にする。
【００７２】
図１０は、パネル２、３を含むシート基板を示す。パネル２には、感圧接着剤群２５と、略平行な二片の接着剤２７、２７’が設けられる。該接着剤片２７、２７’は、パネルの縁２４からヒンジ２３へ向かって下方にパネル２のそれぞれの幅方向側エッジに沿って延びている。接着剤群２５と接着剤片２７、２７’は、パネル２、３の両方の面上に設けることができる。使用中、パネル２、３がヒンジ２３を中心に回動し近接するにつれて、パネル２は、接着剤片２７を介してパネル３に接触付着する。接着剤群２５は、選択済み髪成分をパネル２、３間で接触固定するのに使用できる。接着剤片２７、２７は、パネル２、３を互いに固定させるだけでなく、使用中のエンベロープから処理液を漏出させないシールにもなる。
【００７３】
図１１は、図１０に示すマスキングシート基板の側面図である。接着剤片２７、２７が隣接パネル３に略接触するように該基板を折り畳んだ状態を図示している。上述した各例の場合のように、該接着剤片と接着剤群は、リリースコーティングを有するカバー片を設けることができ、各シートを、例えば搬送したり又は保存したりするために、積み重ねできる。パネル２、３をさらに近接させると、該接着剤片によって該各パネルが接触し、したがってパネル２が取り外し可能にパネル３に固定する。
【００７４】
図１２は、幅方向に延びるヒンジ２３でその共通のエッジに沿って連結させたパネル２、３を有する別のマスキングシート基板１を示す。この実施の形態では、パネル２、３は両方とも不透明材料で構築される。但し、パネル３は、略透明の窓２８であって、この場合、楕円形の窓が設けられ、髪の処理が容易にモニターできる。パネル２には、処理すべき髪を固着させる接着剤材料２５群が設けられる。図１３は、部分的に折り曲げられた図１２のシート基板の斜視図である。
【００７５】
図１４は、パネル２、３が幅方向に延びるヒンジ２３で連結された別のマスキングシート基板１を示す。この実施の形態では、パネル２は、フラップ延長部２９によって形成されたエンクロージャを含む。このエンクロージャは、パネル２とフラップ２９の間に介装した接着剤片３０を含む。
【００７６】
該フラップ２９においては、等間隔の孔３１の列が形成され、該孔３１の列は、パネル２が幅方向に延びるヒンジ３３で区画された状態で、該フラップの境界を横切って延びている。該ヒンジ３３は、該パネルの上部エッジ５を形成し、この上部エッジ５は使用中に頭皮に当接する。該フラップは、望ましくはパネル２に接触させた状態で折り返り、パネル２に付着できる。その代わりに、接着剤片３０に接触させると、該フラップはパネル２の面に近接した状態を保つ。該ヒンジ３３は、熱形成でき、したがって該フラップがパネル２の面に向かって折り返り、図１４、１５に示す構造になるように、該ヒンジを可撓変形させる。
【００７７】
図１６は、フラップ２９を折り曲げる前であって該接着剤片を配設する以前の図１４の該マスキングシート基板を示す。孔３１が、幅方向に延びるヒンジ３３を横切って延びている状態が明瞭に見える。
【００７８】
図１７は、シートを部分的に折り曲げた図１６のシートの斜視図である。
【００７９】
図１８は、フラップ２９を折り曲げて接着剤辺３１に接触させる前に該接着剤片３１を配設した図１６の該マスキングシート基板を示す。
【００８０】
図１９は、図１４と図１８に示す包囲接着剤片を有する図１７の部分折曲基板シートの斜視図である。
【００８１】
図２０は、髪３４を該接着剤片３０に接触装着させる様子を示す。頭皮３５はここでは、便宜上、一片として示される。
【００８２】
図１４から図２０に示す各実施の形態には、特有の長所がある。先ず、該接着剤片３０は両面接着剤片でもよい。このため、選択済み髪成分をパネル２、３間に包み込みながら接触させることができる。その代わりに、又は、それに加え、該接着剤片の反対側を、隣接するマスキングシート基板に接触させるために使用したり、あるいは、エンベロープ外の処理選択されてない髪に接触させるために使用したりできる。このように、１つの接着剤片を、二種類の全く別々の用法でシート基板を固定させるために使用できる。さらに、パネル２の該エッジ３２の歯を持つ性質は、処理のために選ばれた髪を収束し、捕らえるために利用できる。この態様については、図２２と図２３に基づいてさらに詳細に後述する。
【００８３】
図２１は、パネル２、３を含むマスキングシート基板１を示す。この実施の形態では、接着剤片３６、３７は、該シートの反対面に配設される。使用中、シート３６は、エンベロープの外側にあり、該シート基板を各隣接基板に又はエンベロープ外の髪に接触固定させるために使用できる。該接着剤片３７にはエンベロープに内設でき、選択済み髪を該接着剤片３７に固定できる。
【００８４】
図２２は、幅方向に延びるヒンジ２３で連結したパネル２、３を含む別のマスキングシート基板を示す。この実施の形態では、パネル２が重要な接着剤片３７を持つ状態が図示される。この実施の形態では、該接着剤片３７は必要ではなくオプションである。該接着剤片は、使用中のエンベロープの内側又は外側で使用するために設けてよい。パネル２は歯付き部又は櫛部３８を有する状態で図示されており、該歯付き部又は櫛部３８の間に各々の空隙３９が形成されている。該各空隙は、各々の歯４０の根本に向かって収束するのが分かる。該櫛部は、処理のため、選択済み髪成分を集め選択的に捕らえながら掻き集めるために使用できる。したがって、使用中、ある量の髪は、シート基板を用いて選択され梳かされる。髪成分は、該空隙３９に受け入れられ、各歯４０の根本近傍の該空隙の底部に向かって動かされる。
【００８５】
該各空隙が収束するにつれて、髪が一体となって付勢されて該各空隙中に引き抜き可能に捕らえられる。これが１つの固定手段となる。但し、選択済み髪成分を包み込むべくパネル２をパネル３に近接させるために接着剤を設けてもよい。該各歯間の空隙のサイズは、略所定量の髪を各空隙間で捕らえるように適合できることに留意されたい。このことは、使用する処理物質の量が、該各歯により掻き集められた髪の量を処理するのに十分であることを認識しながら、該所定量の処理物質が定められ髪に塗布されるように、利用できる。
【００８６】
図２３は、図２２に示すようなマスキングシート基板により形成される包囲エンベロープの側面図である。
【００８７】
図２４は、幅方向に延びたヒンジ２３で連結されたパネル２、３を含む別のマスキングシート基板１を示す。パネル２の上縁４１近傍に、ヒンジ４３でパネル２に回動的に連結させられるフラップ又はストラップ４２が配設される。ストラップ４２には端部４４を設けており、今度はこの端部４４がヒンジ４５によりストラップ４２に回動可能に連結している。端部４４は、オプションとして、ストラップ４２をパネル２に接触付着させることができる接着性物質を含む。使用中、選択済み髪成分はパネル２上に位置するので、ストラップ４２がヒンジ４３を中心に回動し、ストラップ４２の面がパネル２の表面に接触し、選択済み髪成分をストラップ４２とパネル２の間で捕らえる。次に、端部４４がヒンジ４５を中心に回動し、端部４４は、パネル２の該エッジ周りに折り曲げられパネル２の背部に当接固定させることができる。処理物質を、髪と、エンベロープを形成すべくパネル２に近接させたパネル３と、に塗布できる。
【００８８】
図２５は、図２４と類似のシート基板を示す。この実施の形態では、該ストラップ４２を端片４６により、直接、パネル２の面に固定させることができる。同様に、端部４６を固定点４７に当接固定させることができる。
【００８９】
図２４と図２５に示す各実施の形態の内のどちらか一方において、追加の接着剤片又は追加の接着剤群をパネル２、３の面上又はストラップ４２の面上に配設できる。
【００９０】
図２６は、図２４に示すシート基板の斜視図である。
【００９１】
図２７〜図２９は、略透明材料から成る窓２８を含む図１２に類似のシート基板１を示す。この実施の形態では、パネル３は１つ以上のインディシャ（図示せず）を含み、該インディシャ（図示せず）はロゴ又はその他の産物識別子を含むことができる。該インディシャは、ホログラムの形態でよい。図１４から図２０の実施の形態と同様の要領により、図２７と図２８に示す該シートは、シート２の端部にあるフラップ延長部５０により形成されたエンクロージャを含み、該フラップ延長部５０は、両面接着剤片３０がパネル３と該フラップ５０の間に介装された状態において、折曲線２３から最も離れている。また、フラップ延長部２９もシート２上に設けられ、該フラップ延長部２９は、幅方向の折曲線３３に沿って該折曲済みシートの内面上に折り曲げられる。
【００９２】
図２９の図面から最も明瞭に分かるように、細条孔５１の列は、パネル３とフラップ５０の両方に形成され、フラップ５０とパネル２の間の幅方向に延びる折曲線５２に沿ってフラップ５０をパネル３０側に折り曲げると、該フラップとパネル３における該それぞれの孔５１は、互いに登録されたとおり並べられる。このようにして、該接着剤片は、フラップ５０とパネル３を一体に保持でき、該各孔５１においてパネル２の両面に、パネル２、３を一体で保持するフラップ２９と頭皮及び／又は使用中の隣接する髪成分とを接触させるための、粘着性接触表面が得られる。
【００９３】
図２８に示す実施の形態では、該マスキングシートは、図１から図７の各実施の形態で示した容器に類似する容器１３を含む。図２８に示す構造では、該基板は、該マスキングシートの該容器部の少なくとも一方側に窓領域５２を備える。該窓領域は略透明材料を含み、該容器１３の中身が作業中の美容師に見える。
【００９４】
図１〜図２９に基づいて説明した美容師用マスキングシートは、前述したように単独形成してもよく、あるいは、図３０〜図３６に示す実施の形態のように連続券回体マスキングシートとして形成してもよい。
【００９５】
図３０で分かるように、本発明の別の実施の形態における連続券回体６０の美容師用マスキングシート１は、幅方向に延びる分離線６２に沿ってそれぞれの端部で互いに結合する複数の隣接シート１を含む。該分離線６２は、パネル２の周縁エッジ２４に沿って並ぶ一連のミシン目を含み、この券回体において１つのシートのパネル２が次のシートの隣接パネル３のエッジから容易に分離できる。該連続券回体６０は、図１２と図１３に示す該各シートと同様のマスキングシートを、すなわち、パネル２のエッジ２４近傍の接着性材料群２５と、髪の処理をモニターするためのパネル３中の透明な窓２８と、を有するマスキングシートを、含む。図３０の実施の形態では、パネル２は、さらにＵ字型接着剤片６４を該基板の該接着性材料群と同じ側に備える。該接着剤片は、パネル２、３間の折曲線２３近傍でパネル２を幅方向に横断し、該折曲線２３からわずかの距離だけパネル２のそれぞれの側面エッジに沿って直角に延びる。パネル２、３を一体で使用すると、該Ｕ字型接着剤片６４がパネル３に接触固着し、該接着剤６４により境界が定められた該領域６６において、該各パネル間に処理溶液の貯蔵部が形成される。パネル３は、該各パネルを一体化すると該貯蔵部領域６６に重合するパネル３の領域中に、三角形の第２窓６８を備える。
【００９６】
券回体６０は、図３１の図面に示すように巻回することが望ましく、券回体６０は、図３２に示すようなボックス型容器７０中に包囲され得て、該券回体の自由端が通過する該ボックス中のスリット７２からディスペンスできる。かかる構造において、該接着性材料群２５とＵ字型接着剤片６４は、券回体を巻回するときに、該各パネルの他方側に接着剤が付着することを防ぐリリースストリップを設けることが望ましい。該スリット７２にブレード又はエッジを設けることが望ましく、該券回体上の次のシートを使用のため切り離し、該ブレード又はエッジにまたがって該ミシン目を位置決めできる。
【００９７】
図３３の図面は、券回体６０から切り離された単一のシート１を示す。この図面では、該接着性材料群とＵ字型接着剤片６４に、それぞれ、保護リリースストリップ７４、７６が配設される。該接着性材料群は完全に覆われているが、接着剤片の各横辺エッジの内の１つの横辺エッジはむき出しのままである。図３４は、シートの図３３の裏側を示し、図３５は折曲線２３に沿って折り曲げられたパネル２、３を示す。
【００９８】
次に図３６を参照すると、本発明の別の実施の形態では、該パネル２、３は、個別に形成されて互いに結合、例えば、溶着又は熱封着などで貼り合わせ、られ、前述したタイプの幅方向に延びるヒンジを形成したり、あるいは、該パネル２、３を単一シート材から折り曲げられたりする。図３６はマスキングシート１の前面パネル３を示し、該前面パネルは、望ましくは厚さ１９ミクロンの、ダイカットメタルフォイルの積層シートと、望ましくは厚さ１２ミクロンの二層の、視界を遮らない透明ポリエステル薄膜と、を含む。該メタルフォイルは、アルミニウムメタルフォイルが望ましく、２２５ミリメートルｘ９０ミリメートルの略矩形のシートになるようにダイカットされる。該アルミニウムシートは、３つのダイカット窓を備え、これら３つのダイカット窓は、該シート中央に楕円形の中央窓８０と、該シートの底部エッジ８４側に三角形の窓８２と、該シートの上部エッジ９０側に別の楕円形の窓８６と、を備える。該楕円形の窓８０の主軸は該シートの長手方向を向き、該窓８６の主軸は該シートの幅方向を向く。窓８０の典型的寸法は、８５ミリメートルｘ４０ミリメートルであり、窓８６については４０ミリメートルｘ２０ミリメートルである。該各窓は、すべて、該シートの幅方向横横辺エッジ間の中央に位置する。窓８０、８６の間に、２０ミリメートルの空隙が該シートの長手方向について設けられ、５０ミリメートルの空隙が設けられる。該シートの上部エッジ９０に平行な折曲線８８は、該窓８６の主軸と一致し、該シートの幅方向側横辺エッジ間において幅方向に延びる。この折曲線８８は、該上部エッジ９０から３０ミリメートルのところに位置する。
【００９９】
このダイカットアルミニウムシートは、透明なポリエステル等の視界を遮らないプラスチック材料から成る薄膜で積層され、この積層シートは、該折曲線８８に沿って折り曲げられ、図３７（ａ）に示すように、該ダイカット窓８０が折り曲げたシートの上部エッジ２４の中央に、視界を遮らない透明材料から成る窓を形成する。図３７（ｂ）に示すように、この実施の形態では、該アルミニウムシートの該折曲線８８と該上部エッジ９０の間の領域が折り曲げられ該積層シートの背面に当接する。
【０１００】
上述したように、図３６、図３７（ａ）、３７（ｂ）に示す該前面パネル３を個別に形成して、同一材料、又は類似の材料、又は異なる材料、から成る背面パネルに連結させたり、あるいは、前面パネルと背面パネルを、略同一サイズの２つの半シートにして折り曲げた１つのシートの各隣接部分で構成させたりできる。
【０１０１】
図３８では、図３６、図３７（ａ）、図３７（ｂ）の該前面パネル３を備えたマスキングシートを形成するのに適した背面パネル２が示される。この実施の形態では、該背面パネル２は、該前面パネル３とは別に、厚さ１９ミクロンのアルミニウムフォイルシートで形成される。該背面パネル２は、図３７（ａ）と図３７（ｂ）に示す該折曲済み前面パネルと形状もサイズも同一であり、該シートを図３７（ａ）と図３７（ｂ）の該前面パネル３の上部エッジ部と同様に折り曲げる折曲上部エッジ縁９２を含み、該シートの上部エッジ縁において硬質で厚さが二倍の領域が得られる。したがって、該折曲線は、図３７（ａ）と図３７（ｂ）の前面パネルの折曲部の上部エッジを折曲線８８が区画した方式と同一方式で該折曲シートの上部エッジ９４を区画する。該折曲上部エッジ縁９２の奥行き寸法は、該シートの長手方向に２０ミリメートルである。
【０１０２】
複数の接着剤群９３が該折曲上部エッジ縁９２に沿って並設される。該接着剤群は、幅５ミリメートルｘ奥行き１０ミリメートルの略矩形の形状を成すとともに、隣接群間に３ミリメートルの空間があり、最初の群と最後の群は該シートのそれぞれの実辺から約１３ミリメートルのところに配設される。該接着剤群９３は、該折曲上部エッジ縁９２の表面上に印刷されることが望ましく、その代わりに、該接着剤群９３は、図２９の実施の形態に基づいて前述したように各折曲部間に接着剤片が介装される状態で、ダイカット孔によって該シートの折曲部中に配設されてもよい。このようにして、該折曲上部エッジ縁９２における該シート材料の両層をダイカットでき、両面性粘着テープによって該パネルの両横辺に１つの粘着性表面又は複数の粘着性表面を得ることができるようになっており、該マスキングシートをエンベロープ内の髪成分に固着させるとともにエンベロープ外の髪成分にも固着させる。エンベロープ外側の該粘着性表面には、すなわち、パネル２の背面には、使用できる状態の接着剤を塞がないようにするために選択的に取り外しできるリリースストリップ（図示せず）を設けることができる。
【０１０３】
該折曲上部エッジ縁９２は、該シートの当該部分の剛性を高め、選択済み髪成分の根本で座屈せずに直立に着座できる。重要なことは、該折曲上部エッジ縁９２が使用中に平坦な状態を維持することであり、その理由は、各群間の該各空隙が液体伝達流路として機能し、この液体伝達流路のおかげで処理溶液を毛管作用によって選択済み髪成分に沿って該シートの上部エッジ９４側に吸引させることができるからである。重要なことは、該液体伝達流路が、使用中、折り目又はひだによって塞がれることがないということである。
【０１０４】
該パネル２の該周縁エッジ部９２に対する反対側の端部に、略Ｕ字型接着剤片９５が設けられ、この略Ｕ字型接着剤片９５は、該パネルの底部エッジ９６全体に沿って且つそれぞれの幅方向各横辺エッジに沿って延びる。該接着剤片は、幅約１０ミリメートルで該底部エッジ９６から該パネルの幅方向両横辺に沿って約３０ミリメートル延びている。該接着剤片９６は該背面パネルを該前面パネル３６にそれぞれの底部エッジに沿って連結させ、パネル２、３が互いに略重合して前述したマスキング用具を形成する。該接着剤片９６は、図３０の実施の形態で示した一片６４と類似し、該一片によって境界が定められた領域によって、前述したように余分な処理溶液を受け入れる領域が得られる。この実施の形態では、該前面シートの窓８２が、該接着剤片９６によって境界が定められた領域に略重合し、該領域の中身を、使用中、窓８２から眺めることができる。
【０１０５】
図３８の図面に示すように、該パネルの幅方向両横辺に沿って延びる該接着剤片９６の側面部を面取りして、該マスキングシートの下部に形成される袋状の余剰処理ポーチに通じる漏斗状の入口が設けられる。
【０１０６】
パネル２、３を互いに連結すると、該接着剤片９５は、パネル２の各々の周縁に貼着するが、パネル２、３が、エッジ８４、９６によって区画したエンベロープの下方エッジを中心に必ずしも回動しなくともよく、その代わりに、該底部エッジと平行に延びるラインであって、該シートの幅方向両横辺の接着剤の各端部において、すなわち、該マスキングシートの底部エッジから約３０ミリメートルにおいて、区画される該ラインを、中心にパネル２、３が回動する傾向があるということを理解する必要がある。
【０１０７】
したがって、図３６から図３８で説明したように前面と背面の各パネル２、３を有する各マスキングシートには、髪成分の長手の大部分にわたって髪処理進行の進捗を観察するための主要な窓８０と、処理中の髪成分の根本における同一処理を観察するための第２窓８６と、該エンベロープの底部で区画される貯蔵部中に排出した余分な処理溶液の量を観察するための第３窓８２と、を含む３つの窓を配設される。
【０１０８】
図３７（ｂ）から分かるように、前面パネル３の該折曲上部エッジ部の背面には、パネル２の該折曲部９２上の接着剤群９３に付着することを防止するシリコンコーティングを設けることができ、該各パネルが容易に分離して今すぐ利用できる状態になる。
【０１０９】
図３８のパネル２は、前述したように、前面パネル３と同一の折曲シートの一部を構成でき、この場合、背面パネル２も積層メタルフォイル／ポリエステルシートでもよい。その代わりに、該各窓領域８０、８２、８６が前述したタイプの透明なポリエステルシート材の薄膜で覆われる状態になり、パネル２、３は、メタルフォイルでもよく、望ましくはアルミニウムフォイルでもよい。
【０１１０】
次に図３９を参照すると、サイズと形状が略同一である２つの矩形パネル１１２、１１４を含む美容師用マスキング用具１１０が示される。該各パネルは、細条シート基板の各隣接部分を構成する。パネル１１２は、略不透明な（望ましくは白の）ポリオレフィン又はポリエステル可撓性シート材料から成る。パネル１１４は、略透明なポリオレフィン又はポリエステル可撓性シート材料から成る。該各パネルは、溶着によって又は例えば接着剤等の他の手段によって、共通のエッジ１１６に沿って連結され、幅方向に延びるヒンジを形成する。
【０１１１】
共通エッジ１６の向かい側にある該パネル１１２の上部エッジ部１１８には、一片の感圧接着剤１２０が設けられる。この粘着剤片１２０は、該パネル１１２の一方側から他方側に、共通エッジ１１６の向かい側にある該パネルの上部エッジ部１２２からわずかに内側に向かって延び、無接着剤領域１２４が該エッジ１２２と接着剤１２０の間で区画される。共通エッジ１１６の向かい側にある該パネル１１４の上部エッジ部１２６は、このパネル１４の残りの部位よりも高い剛性を持ち、該各シートを互いに分離させて今すぐ利用できる状態にしても該上部エッジ部１２６は歪まない。
【０１１２】
該上部エッジ部１２６の高い剛性は、例えば該上部エッジ部１２６に沿って同一シート材料の層を追加し、該エッジ部の厚さと剛性を二倍にして、該上部エッジ部１２６の厚さを増すことで得られる。該追加層は、該パネル１１２の長手方向のエッジをそれ自身上で、図２の図面に示すように該パネルのエッジの長手方向折曲線に沿って折り曲げることによって得ることが望ましい。該エッジ部１２６の寸法としては、該各パネルを一体化すると該エッジ部１２６が該接着剤片に完全に重合するような寸法が望ましい。
【０１１３】
図４０と図４１に示すように、該各パネルは、共通エッジ１１６を中心に回動することができ、保存及び／又は搬送を容易にすべく使用する前に、あるいは、使用中の選択済み髪成分を包み込むために、該２つのパネルが一体化する。同様に、該各パネルは、該各パネルを分離して今すぐ利用できる状態にすべく、該各パネルは回動することができ、選択済み髪成分を各パネル間に受け入れるために使われる。
【０１１４】
使用前に、該上部エッジ部１２６を、該各パネルを一体保持する接着剤１２０から解除することによって、該各パネル１１２、１１４は、分離されて今すぐ使用できる状態になる。該無接着剤領域１２４によって、該上部エッジ部１２６に重合するための指のつまみ（タブ）が得られ、該各パネルを比較的容易に分離できる。該上記エッジ部１２６の剛性は、該接着剤に接触した該上部エッジ部の表面の伸張を起因として、歪みなしに、著しく反り返ることもなしに、該エッジ部を該接着剤片から解除する作用が起こるような剛性とする。
【０１１５】
一旦、該各パネルを分離すると、処理すべき髪の先端の成分（図示せず）は、美容師により選択され、該接着剤片１１０が頭の頭皮に近接する既知の要領により該パネル１１２は、該髪成分の下に位置する。接着剤が選択済み髪成分に付着し、次にこの髪成分は、美容師により、例えば液体毛染め物質等の処理溶液でコーティングされる。次に、該パネル１１４は、該共通の幅方向ヒンジを中心に該パネル１１２の上方で折り曲げられ該パネル１１２に近接し、図２の図面で示すように、形成された該エンベロープに接近する。
【０１１６】
該パネル１１４は、該パネル１１４上の処理溶液の表面張力に起因して該パネル１１２に作用する粘着力により、該パネル１１２に対して保持される。パネル１１４は透明なので、美容師は、選択済み髪成分の毛染め過程をモニターでき、毛染め過程をモニターするためにマスキング用具を髪から取り外したりする必要もなければ、あるいは、該パネル１１４を剥がしたりする必要がない。他方のパネル１１２が例えば白など不透明である場合、これは、毛染め過程を眺めるのに好都合な色である。これに関して、並びに、この装着されたマスキングシートの配向に関して、該マスキングシートが図４０の包囲構造において折り曲げられるとき、該パネル１１４を前面パネルとして見なすとともに該パネル１１２を背面パネルとして見なすことができる。
【０１１７】
次に図４２を参照すると、本発明の別の実施の形態において、該マスキングシートは略透明材料から成る追加の中間矩形パネル１３０を含む。該中間矩形パネル１３０は、パネル１１４と略同一であり、略透明のポリオレフィン又はポリエステルの可撓性シート材料から成る。該パネル１３０は、パネル１１２、１１４が連結される要領と略同一の要領で該パネル１１２、１１４に連結され、すなわち、溶着又は他の手段により、共通のエッジ１１６に沿って連結され、３つの全てのパネルがそれを中心に互いに回動できる、共通の横に述べるヒンジを形成するようにする。該各パネルは、該各パネルを一体化すると、該各パネルが順に重合できるように、互いに相対的に配設される。
【０１１８】
該パネル１３０によって、該パネル１１２、１１４間に包み込まれた選択済み髪成分に加えて、追加の髪成分を選択して処理できる。処理溶液がパネル１１２と中間パネル１３０の間の選択済み髪成分に塗布され、該各パネルが一旦閉じられてから、追加の髪成分は選択される。
【０１１９】
一旦、該各パネル１１２、１３０が一体化されると、美容師は、例えば異なる液体毛染め物質などの異なる処理溶液を該追加の髪成分に塗布でき、次に該各パネルを一体化することによって、該追加の髪成分を該各パネル１１４、１３０間に包み込むことができる。該各パネル１１４、１３０の透明性によって、処理中の髪からマスキング用具を取り外さずに、両方の処理過程は、美容師により観察され得る。
【０１２０】
次に図４３（ａ）から図４３（ｄ）を参照すると、本発明の別の実施の形態において、該各パネル１１２、１１４は、接着剤で連結される。図４３（ａ）に示す該第１パネル１１２には、該各パネルを互いに連結する追加の接着剤片１３２が設けられる。該接着剤片１３２は略Ｕ字形をなし、該パネル１１２の共通エッジ１１６に沿って幅方向に延び、該パネルの幅方向各横辺エッジ１３４、１３６に沿って該エッジ１１６から途中までの距離がある。該接着剤片１３２は、該パネルの接着剤片１２０と同一側に配設される。該矩形パネル１１２の比較的大きな奥行き寸法１３５が例えば１２０ミリメートルで比較的小さな幅寸法１３７が例えば９０ミリメートルである実施の形態において、該接着剤片１３２は、該エッジ１１６の主要部に沿って幅が５ミリメートルでよく、該幅方向各横辺エッジ１３４、１３６に沿って幅が１０ミリメートルでよく、該各エッジ１３４、１３６に沿って該エッジ１１６から例えば３０ミリメートル延びることができる。かかる寸法によって、該各パネル１１２、１１４は、該接着剤片１３２で連結すると、容易に枢支される。該接着剤片１２０の幅は１２ミリメートルでよく、該空隙１２４の幅は３ミリメートルでよい。
【０１２１】
この実施の形態では、該第１パネル１１２は金属化ポリエステル可撓性基板シート材料を含む。図４３（ｂ）に示す該第２パネル１１４は、視界を遮らない剛性薄膜材料、望ましくは透明のポリエステル材料を含み、この材料は、該パネル１１４のエッジ１１６近傍の領域１３８においてインク又はその他適切なコーティングでコートされる。該コーティング領域１３８の中心に、非コーティング三角形部１４０が、この三角形の頂点を該パネルのエッジ１１６に最も近接させた状態で、設けられる。該三角形１４０は、該コーティング済みエッジ領域１３８における該パネル中の透明窓である。
【０１２２】
該パネル１１２のＵ字型接着剤片１３２は、当該パネルのエッジ１１６近傍の領域１４２を部分的に包囲する。該第１パネルを該第２パネル１１４に、前述したように該各パネル１１２、１１４を相互に重合させた状態で連結すると、該部分包囲領域１４２は、使用中の処理溶液を保持する貯蔵部になる。該各パネル１１２、１１４が互いに連結されると、該印刷済み領域１３８が該貯蔵部領域１４２に重置し、使用中、該貯蔵部の中身は、該窓１４０から眺められ得る。
【０１２３】
図４３（ａ）と図４３（ｂ）の各図面に示す実施の形態に示されていないが、該前面透明パネル１１４のエッジ部１２６は、該パネルの残り部分の剛性よりも高い剛性を持ち得る。
【０１２４】
図４３（ｃ）を参照すると、本発明の別の実施の形態において、追加の中間パネル１３０が図４３（ａ）と図４３（ｂ）に示す該各パネル間に介装されるのが図示される。中間パネル１３０はパネル１１４１と略同一であるが、但し、該パネルは、該印刷済みパネル１３８の代わりに、図４３（ａ）の背面パネルに基づいて前述した接着剤片１３２と略同一のＵ字型接着剤片１４４を含む。この接着剤片は、該中間パネル１３０を該前面パネル１１４に連結する。その連結要領は、該接着剤片１２０が該背面パネル１１２を共通エッジ１１６に沿って該中間パネル１３０に連結する要領と同一であり、該各パネルは、互いに相対的に回動運動できる。該各パネル１１２、１１４、１３０は、同一又は類似の外寸法を持ち、図４３（ｄ）では、部分的にオーバーラップさせて概略図示される。図４３（ｄ）に示す個々のパネルは、効果的に相互に重合させた状態で互いに連結されると、順に重ねて配置されるということが理解できるであろう。
【０１２５】
図４３（ａ）から図４３（ｃ）に基づいて説明したタイプのマスキング用具において、１つ以上の追加（又は中間）パネル１３０を設けることができるということは、当業者には容易に明白であろう。例えば、マスキング用具は、共通のヒンジ止めエッジに沿って相互に連結させた４つのパネルを含むように２つの追加パネルを設けることができ、異なる髪成分を別々に処理する３つの領域が得られる。
【０１２６】
図４４を参照すると、本発明の別の実施の形態において、該前面パネル１１４が、上部エッジ部１２６と共通エッジ１１６の間で２つの部分１１４ａ、１１４ｂに二分割され、別々の髪成分と異なる毛染め溶液とを、受け入れる２つの個別の領域が得られる。
【０１２７】
上記説明を通して多数の実施の形態が紹介されたことを理解する必要がある。該実施の形態は、各々、他の実施の形態を排除するものではなく、本発明の範囲内で異なる実施の形態の組み合わせた特徴を想定していることを理解する必要がある。例えば、上述した各実施の形態について、髪成分と接着剤片又は接着剤群の混合物を提供できる。かかる固定手段は、使用中のエンベロープの内側又は外側に設けることができる。複数の貯蔵部を設けてもよい。
【図面の簡単な説明】
【０１２８】
【図１】本発明の一実施の形態における、１つの貯蔵部を含むマーキングシート基板に関する一実施の形態の平面図である。
【図２】図１に示す部分組み立てマスキングシート基板（該貯蔵部は組み立て式であるが該髪接触部はただ単に部分的に近接させただけである）の断面図である。
【図３】図２に示す該マスキングシート基板の斜視図である。
【図４】１つの貯蔵部を含むマスキングシート基板に関する一実施の形態の平面図である。
【０１２９】
（ａ）１つの貯蔵部を含むマスキングシート基板に関する一実施の形態の平面図である。
【図５】図４に示す該マスキングシート基板から派生した部分組み立てマスキングシート基板の断面図である。
【図６】図５に示す該部分組み立てマスキングシート基板の斜視図である。
【図７】処理物質を担持する貯蔵部を有する部分組み立てマスキングシート基板の斜視図である。
【図８】離間させた接着剤片を有するマスキングシート基板の平面図である。
【図９】組み合わせて１つのエンベロープに形成された図８に示す該マスキングシート基板の断面図である。
【図１０】離間させた接着剤群と接着剤片とを担持するマスキングシート基板である。
【図１１】１つのエンベロープを形成すべく一体化させた図１０に示す該マスキングシート基板の側面図である。
【図１２】離間させた接着剤片と１つの透明な窓とを担持するマスキングシート基板の平面図である。
【図１３】１つのヒンジにおいて回動する図１２に示す該マスキングシート基板の斜視図である。
【図１４】１つの接着剤片を包囲する孔付きフラップを含むマスキングシート基板の平面図である。
【図１５】１つのエンベロープを形成すべく各部を一体化した図１４に示す該マスキングシート基板の側面図である。
【図１６】該接着片の包囲前の（該接触片は存在しない）図１４に示す該マスキングシート基板の平面図である。
【図１７】図１６に示す部分回動マスキングシート基板の斜視図である。
【図１８】該接着片の包囲前に該接着剤片を設置した図１６に示すマスキングシート基板の平面図である。
【図１９】図１４に示す部分回動マスキングシート基板の斜視図である。
【図２０】該エンベロープの密封前の、選択済み髪成分を図１９の該マスキングシート基板上に載置する方法を示す斜視図である。
【図２１】部分回動エンベロープの内側と外側に１つの接着剤片を担持する該部分回動エンベロープの斜視図である。
【図２２】１つの接着剤片を担持するとともにマスキングシート基板の１つのエッジに沿う歯を有する該マスキングシート基板の平面図である。
【図２３】図２２に示す該マスキングシート基板の側面図である。
【図２４】固定可能なストラップを有するマスキングシート基板の平面図である。
【図２５】固定可能なストラップを有するマスキングシート基板の平面図である。
【図２６】図２５に示す該マスキングシート基板の斜視図である。
【図２７】本発明の別の実施の形態におけるマスキングシート基板の平面図である。
【図２８】図２７の該マスキングシートの斜視図である。
【図２９】図２７と図２８に示す該マスキングシート基板の背面パネルの非折曲上部エッジ部の詳細平面図である。
【図３０】本発明の一実施の形態における券回体マスキングシートの平面図である。
【図３１】図３０に示した一巻きの券回体マスキングシートの斜視図である。
【図３２】ディスペンス容器内に設けた図３１の該一巻きのマスキングシートを示す。
【図３３】本発明の一実施の形態におけるマスキングシートの一方側の平面図である。
【図３４】図３３に示す該マスキングシートの反対側の平面図である。
【図３５】今すぐ利用できるエンベロープを形成すべく折り曲げるときの図３３と図３４に示す該マスキングシートの斜視図である。
【図３６】本発明の一実施の形態におけるマスキングシート用マスキングシート前面パネルの平面図である。
【図３７】（ａ）上部エッジを折り返した図３６の該前面パネルの平面図である。
【０１３０】
（ｂ）図３７（ａ）に示す折り曲げ済み前面パネルの反対側の平面図である。
【図３８】本発明の一実施の形態におけるマスキングシート用マスキングシート背面パネルの平面図である。
【図３９】本発明の一実施の形態における美容師用マスキングシートであって、該美容師用マスキングシートの各パネルを折り曲げることなく且つ互いに近接させて今すぐ利用できる状態にした該美容師用マスキングシートの平面図である。
【図４０】図１の該マスキングシートの各パネルを互いに重合させた図１の該マスキングシートの側面図である。
【図４１】図１と図２の該マスキングシートの各パネルを部分的に開口させた図１と図２の該マスキングシートの斜視図である。
【図４２】該前面パネルと該背面パネルの間に追加パネル又は中間パネルを有する、図３に示す該マスキング用具に類似するマスキング用具の斜視図である。
【図４３】本発明の他の実施の形態に組み込まれた美容師用マスキング用具のそれぞれの背面パネル（ａ）と前面パネル（ｂ）と中間パネル（ｃ）とのそれぞれの平面図である。
【０１３１】
（ｄ）部分オーバーラップ構造において順に重置した図５（ａ）から図５（ｃ）の該各パネルの概略図である。
【図４４】本発明の別の実施の形態にしたがって構築した美容師用マスキング用具の図３と類似の斜視図である。
【図１】
2006517821.tif 000003
【図２】
2006517821.tif 000004
【図３】
2006517821.tif 000005
【図４】
2006517821.tif 000006
【図５】
2006517821.tif 000007
【図６】
2006517821.tif 000008
【図７】
2006517821.tif 000009
【図８】
2006517821.tif 000010
【図９】
2006517821.tif 000011
【図１０】
2006517821.tif 000012
【図１１】
2006517821.tif 000013
【図１２】
2006517821.tif 000014
【図１３】
2006517821.tif 000015
【図１４】
2006517821.tif 000016
【図１５】
2006517821.tif 000017
【図１６】
2006517821.tif 000018
【図１７】
2006517821.tif 000019
【図１８】
2006517821.tif 000020
【図１９】
2006517821.tif 000021
【図２０】
2006517821.tif 000022
【図２１】
2006517821.tif 000023
【図２２】
2006517821.tif 000024
【図２３】
2006517821.tif 000025
【図２４】
2006517821.tif 000026
【図２５】
2006517821.tif 000027
【図２６】
2006517821.tif 000028
【図２７】
2006517821.tif 000029
【図２８】
2006517821.tif 000030
【図２９】
2006517821.tif 000031
【図３０】
2006517821.tif 000032
【図３１】
2006517821.tif 000033
【図３２】
2006517821.tif 000034
【図３３】
2006517821.tif 000035
【図３４】
2006517821.tif 000036
【図３５】
2006517821.tif 000037
【図３６】
2006517821.tif 000038
【図３７】
2006517821.tif 000039
【図３８】
2006517821.tif 000040
【図３９】
2006517821.tif 000041
【図４０】
2006517821.tif 000042
【図４１】
2006517821.tif 000043
【図４２】
2006517821.tif 000044
【図４３】
2006517821.tif 000045
【図４４】
2006517821.tif 000046
【国際調査報告】
2006517821.tif 000047
2006517821.tif 000048
2006517821.tif 000049
2006517821.tif 000050
2006517821.tif 000051